(57)【要約】  本発明は、木の枝の剪定及び誘引による観賞用樹木の形成方法に関し、より詳細には、造景樹の枝の剪定及び誘引を通じて、雪に押されてから再び上昇し、再び押される観賞用樹木と、雷に打たれて辛うじて付いている茎に粘り強い生命力が作用して新たな形態に育つ観賞用樹木と、風に逆らって育ちながらその風で折れる観賞用樹木と、風が吹く通りに順応しながら育つ観賞用樹木と、崖上で空間に向かって限りなく垂れた枝を伸ばして自分だけの領域を構築する観賞用樹木と、岩盤上で与えられた環境を克服して育つ観賞用樹木と、急な集中豪雨に押し流されてから止まった土砂崩れの場所で生命をつないで育つ観賞用樹木と、互いに競争する狭苦しい空間から脱皮して育つ観賞用樹木と、暴雪によって垂れた状態で育つ観賞用樹木を形成するための木の枝の剪定及び誘引による観賞用樹木の形成方法に関する。【選択図】図１
2015516807.tif 000002
【特許請求の範囲】
【請求項１】
苗木または成木の水平、垂直または傾斜枝から育った様々な枝を原型そのままにまたはいずれか一方向に誘引した後、いずれか一方向の枝のみを残しておくか、または食い違った方向の枝を交互に残しておき、残りの枝は剪定する１次枝剪定段階；前記１次枝剪定段階で残された一方向の枝を上下前後左右のいずれか一方向に誘引する１次枝誘引段階；前記１次枝誘引段階で誘引された一方向の枝から育った様々な枝のうちいずれか一方向の枝のみを残しておき、残りの枝は剪定する２次枝剪定段階；前記２次枝剪定段階で残された一方向の枝を上下前後左右のいずれか一方向に誘引する２次枝誘引段階；及び前記２次枝誘引段階後、前記２次枝剪定段階及び２次枝誘引段階を１回以上順次繰り返すことによって、雪に押された枝形態の観賞用樹木、雷に打たれた枝形態の観賞用樹木、風で折れた枝形態の観賞用樹木、風の方向に沿って作られた枝形態の観賞用樹木、崖上から育った枝形態の観賞用樹木、岩盤上から育った枝形態の観賞用樹木、土砂崩れの場所から育った枝形態の観賞用樹木、競争による空間脱出から育った枝形態の観賞用樹木、暴雪で作られた枝形態の観賞用樹木、樹勢を弱化させる‘倒立Ｌ’字状、‘Ｌ’字状の枝形態の観賞用樹木、樹液の流れを停止させる‘コ’字状の枝形態の観賞用樹木、または、栄養を茎に蓄積させる‘己’字状の枝形態の観賞用樹木を形成することを特徴とする木の枝の剪定及び誘引による観賞用樹木の形成方法。
【請求項２】
前記雪に押された枝形態の観賞用樹木は、苗木または成木の水平枝から育った様々な枝のうち原型そのままに下方向の枝のみを残しておき、残りの枝は剪定する１次枝剪定段階；前記１次枝剪定段階で残された下方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を下方向に誘引する３次枝誘引段階；前記３次枝誘引段階で誘引された下方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成されることを特徴とする、請求項１に記載の木の枝の剪定及び誘引による観賞用樹木の形成方法。
【請求項３】
前記雷に打たれた枝形態の観賞用樹木は、苗木または成木の垂直枝から育った様々な枝のうち原型そのままに左方向の枝のみを残しておき、残りの枝は剪定する１次枝剪定段階；前記１次枝剪定段階で残された左方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を下方向に誘引する３次枝誘引段階；前記３次枝誘引段階で誘引された下方向の枝から育った様々な枝のうち左方向の枝のみを残しておき、残りの枝は剪定する４次枝剪定段階；及び前記４次枝剪定段階で残された左方向の枝を上方向に誘引する４次枝誘引段階；を含む方法によって形成されることを特徴とする、請求項１に記載の木の枝の剪定及び誘引による観賞用樹木の形成方法。
【請求項４】
前記風で折れた枝形態の観賞用樹木は、苗木または成木の水平枝から育った様々な枝のうち原型そのままに上方向の枝のみを残しておき、残りの枝は剪定する１次枝剪定段階；前記１次枝剪定段階で残された上方向の枝を上方向に誘引する１次枝誘引段階；前記１次枝誘引段階で誘引された上方向の枝から育った様々な枝のうち右方向の枝のみを残しておき、残りの枝は剪定する２次枝剪定段階；前記２次枝剪定段階で残された右方向の枝を右方向に誘引する２次枝誘引段階；前記２次枝誘引段階で誘引された右方向の枝から育った様々な枝のうち下方向の枝のみを残しておき、残りの枝は剪定する３次枝剪定段階；前記３次枝剪定段階で残された下方向の枝を下方向に誘引する３次枝誘引段階；前記３次枝誘引段階で誘引された下方向の枝から育った様々な枝のうち右方向の枝のみを残しておき、残りの枝は剪定する４次枝剪定段階；及び前記４次枝剪定段階で残された右方向の枝を右方向に誘引する４次枝誘引段階；を含む方法によって形成されることを特徴とする、請求項１に記載の木の枝の剪定及び誘引による観賞用樹木の形成方法。
【請求項５】
前記風の方向に沿って作られた枝形態の観賞用樹木は、苗木または成木の水平枝から育った様々な枝のうち原型そのままに上方向の枝のみを残しておき、残りの枝は剪定する１次枝剪定段階；前記１次枝剪定段階で残された上方向の枝を左上傾斜方向に誘引する１次枝誘引段階；前記１次枝誘引段階で誘引された左上傾斜方向の枝から育った様々な枝のうち右方向の枝のみを残しておき、残りの枝は剪定する２次枝剪定段階；前記２次枝剪定段階で残された右方向の枝を右上傾斜方向に誘引する２次枝誘引段階；前記２次枝誘引段階で誘引された右上傾斜方向の枝から育った様々な枝のうち下方向の枝のみを残しておき、残りの枝は剪定する３次枝剪定段階；前記３次枝剪定段階で残された下方向の枝を右方向に誘引する３次枝誘引段階；前記３次枝誘引段階で誘引された右方向の枝から育った様々な枝のうち上方向の枝のみを残しておき、残りの枝は剪定する４次枝剪定段階；前記４次枝剪定段階で残された上方向の枝を右上傾斜方向に誘引する４次枝誘引段階；前記４次枝誘引段階で誘引された右上傾斜方向の枝から育った様々な枝のうち下方向の枝のみを残しておき、残りの枝は剪定する５次枝剪定段階；前記５次枝剪定段階で残された下方向の枝を右方向に誘引する５次枝誘引段階；前記５次枝誘引段階で誘引された右方向の枝から育った様々な枝のうち下方向の枝のみを残しておき、残りの枝は剪定する６次枝剪定段階；前記６次枝剪定段階で残された下方向の枝を右下傾斜方向に誘引する６次枝誘引段階；前記６次枝誘引段階で誘引された右下傾斜方向の枝から育った様々な枝のうち上方向の枝のみを残しておき、残りの枝は剪定する７次枝剪定段階；及び前記７次枝剪定段階で残された上方向の枝を右方向に誘引する７次枝誘引段階；を含む方法によって形成されることを特徴とする、請求項１に記載の木の枝の剪定及び誘引による観賞用樹木の形成方法。
【請求項６】
前記崖上から育った枝形態の観賞用樹木は、苗木または成木の水平枝から育った様々な枝のうち原型そのままに下方向の枝のみを残しておき、残りの枝は剪定する１次枝剪定段階；前記１次枝剪定段階で残された下方向の枝を左下傾斜方向に誘引する１次枝誘引段階；前記１次枝誘引段階で誘引された左下傾斜方向の枝から育った様々な枝のうち右方向の枝のみを残しておき、残りの枝は剪定する２次枝剪定段階；前記２次枝剪定段階で残された右方向の枝を下方向に誘引する２次枝誘引段階；前記２次枝誘引段階で誘引された下方向の枝から育った様々な枝のうち左方向の枝のみを残しておき、残りの枝は剪定する３次枝剪定段階；前記３次枝剪定段階で残された左方向の枝を左下傾斜方向に誘引する３次枝誘引段階；前記３次枝誘引段階で誘引された左下傾斜方向の枝から育った様々な枝のうち右方向の枝のみを残しておき、残りの枝は剪定する４次枝剪定段階；前記４次枝剪定段階で残された右方向の枝を下方向に誘引する４次枝誘引段階；前記４次枝誘引段階で誘引された下方向の枝から育った様々な枝のうち左方向の枝のみを残しておき、残りの枝は剪定する５次枝剪定段階；及び前記５次枝剪定段階で残された左方向の枝を左下傾斜方向に誘引する５次枝誘引段階；を含む方法によって形成されることを特徴とする、請求項１に記載の木の枝の剪定及び誘引による観賞用樹木の形成方法。
【請求項７】
前記岩盤上から育った枝形態の観賞用樹木は、苗木または成木の垂直枝から育った様々な枝のうち原型そのままに左方向の枝のみを残しておき、残りの枝は剪定する１次枝剪定段階；前記１次枝剪定段階で残された左方向の枝を左方向に誘引する１次枝誘引段階；前記１次枝誘引段階で誘引された左方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を左方向に誘引する３次枝誘引段階；前記３次枝誘引段階で誘引された左方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成されることを特徴とする、請求項１に記載の木の枝の剪定及び誘引による観賞用樹木の形成方法。
【請求項８】
前記土砂崩れの場所から育った枝形態の観賞用樹木は、苗木または成木の垂直枝から育った様々な枝を左下傾斜方向に誘引した後、上方向の枝のみを残しておき、残りの枝は剪定する１次枝剪定段階；前記１次枝剪定段階で残された上方向の枝を上方向に誘引する１次枝誘引段階；前記１次枝誘引段階で誘引された上方向の枝から育った様々な枝のうち左方向の枝のみを残しておき、残りの枝は剪定する２次枝剪定段階；前記２次枝剪定段階で残された左方向の枝を左下傾斜方向に誘引する２次枝誘引段階；前記２次枝誘引段階で誘引された左下傾斜方向の枝から育った様々な枝のうち上方向の枝のみを残しておき、残りの枝は剪定する３次枝剪定段階；及び前記３次枝剪定段階で残された上方向の枝を上方向に誘引する３次枝誘引段階；を含む方法によって形成されることを特徴とする、請求項１に記載の木の枝の剪定及び誘引による観賞用樹木の形成方法。
【請求項９】
前記暴雪で作られた枝形態の観賞用樹木は、苗木または成木の垂直枝から育った様々な枝を下方向に誘引した後、下方向の枝のみを残しておき、残りの枝は剪定する１次枝剪定段階；前記１次枝剪定段階で残された下方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち下方向の枝のみを残しておき、残りの枝は剪定する３次枝剪定段階；前記３次枝剪定段階で残された下方向の枝を下方向に誘引する３次枝誘引段階；前記３次枝誘引段階で誘引された下方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成されることを特徴とする、請求項１に記載の木の枝の剪定及び誘引による観賞用樹木の形成方法。
【発明の詳細な説明】
【技術分野】
【０００１】
本発明は、木の枝の剪定及び誘引による観賞用樹木の形成方法に関し、より詳細には、造景樹の枝の剪定及び誘引を通じて、雪に押されてから再び上昇し、再び押される観賞用樹木と、雷に打たれて辛うじて付いている茎に粘り強い生命力が作用して新たな形態に育つ観賞用樹木と、風に逆らって育ちながらその風で折れる観賞用樹木と、風が吹く方向に順応しながら育つ観賞用樹木と、崖上で空間に向かって限りなく垂れた枝を伸ばして自分だけの領域を構築する観賞用樹木と、岩盤上で与えられた環境を克服して育つ観賞用樹木と、急な集中豪雨に押し流されてから止まった土砂崩れの場所で生命をつないで育つ観賞用樹木と、互いに競争する狭苦しい空間から脱皮して育つ観賞用樹木と、暴雪によって垂れた状態で育つ観賞用樹木を形成するための木の枝の剪定及び誘引による観賞用樹木の形成方法に関する。
【背景技術】
【０００２】
一般に、主に果樹栽培において、樹形を作るために枝を切ることを整枝といい、細部の枝を間引きしたり切り出すことを剪定という。
【０００３】
剪定の目的は、（１）折れた枝または弱くて異常が生じた枝を除去し、また、混雑な部分の枝を整理し、（２）実が付く枝の数を制限することによって、過度に多く実が付くことを防止し、（３）母枝の端で新たな枝が多く発生することによって、結実部の位置が高くなり、基部側が空になることを防止することにある。
【０００４】
このとき、枝の基部を切り出すことを間引き剪定といい、枝の中間を切ってから丈夫な新たな枝を発生させることを切り返し剪定というが、通常、これら二つを併用して剪定を行う。果樹の種類に応じて枝の発生、伸長方式及び結果習性などが異なるので、果樹の種類に応じて剪定方法もそれぞれ異なる。ミカンなどは軽く剪定し、ブドウなどは毎年大きく剪定するが、いずれも果樹園における冬季作業として重要な作業である。剪定は、木の生長が旺盛なときは生長を抑制し、結実を遅延させるという効果を有するので、枝打ちの目的以外には軽く行う。
【０００５】
また、剪定は、樹齢が重なるにつれて程度を強くすることが原則である。老木になると、樹勢が衰え、結実も不良になりやすいので、太い枝を切り出して勢力の強い枝に取り替える更新剪定を行うことが多い。枝の更新は、老木になる前でも部分的には行える。剪定を行った後、切った部位が速く癒えるようにし、間引き剪定の場合は枝の基部で水平に切り、切り返し剪定の場合は芽のやや上側を斜めに切ることが原則である。
【０００６】
このような果樹木の剪定方法に関する従来技術としては、特許文献１に、株間から発生した主枝を３本〜４本継続して維持し、上端を垂れ下げない手段と、前記主枝の上端を強剪定することによって常に栄養生長に誘導する手段と、前記主枝の徒長時には徒長枝を発生させて４５゜に誘引した後で弱剪定及び放置したり、または、徒長枝が発生する前に若芽を揉んでなくす方式で樹勢を安定化し、根の樹勢を強化する手段と、前記主枝の上端で発生する競争枝を除去する手段とから構成されることを特徴とする梨の木の剪定法が公知となっている。
【０００７】
一方、室内、庭園、建物及び道路辺などには、趣味生活、室内装飾、造景などのために、草本、潅木、喬木などの各種の観賞用樹木を植栽しており、これと関連した造景及び園芸に関する技術も、長い伝統を有して日々に発展している。
【０００８】
盆栽は、観賞用樹木を育てる伝統的な方法の一つであり、広く知られたように、枝透かし、枝打ち、芽摘み、筍摘み、葉摘み、整根、針金掛けなどの各種の人為的な整形の過程を通じて、直幹、模様木、懸崖、株立ちなどの多様な樹形を人為的に演出するようになる。
【０００９】
前記のような観賞用樹木の形成に関する従来技術としては、特許文献２に、演出しようとする樹形デザインに合う樹木１０を選択し、前記樹木１０の枝１１を演出しようとする前記樹形デザインに合わせて整理する過程；演出しようとする前記樹形デザインに対応する形状の枝案内リング２１が形成された樹形枠２０を、前記樹木１０が植えられた地面または植木鉢３０に固定する過程；前記枝１１を前記枝案内リング２１に下側から挿入し、前記枝１１の無理な屈曲によって損傷を加え得る急激な屈曲部２３の直前までのみ挿入する過程；前記急激な屈曲部２３に対して損傷を受けない程度のみに前記枝１１を屈曲して臨時固定する過程；前記枝１１が臨時屈曲状態に順応する時間が経過した後、前記枝１１をさらに屈曲する反復的な過程によって前記枝１１を前記急激な屈曲部２３に完全に挿入する過程；前記急激な屈曲部２３の直前までの挿入過程と前記急激な屈曲部２３への完全挿入過程を繰り返し、前記枝案内リング２１全体に対して前記枝１１を挿入し、前記枝１１が前記樹形デザインに対応する樹形を有するようにする過程；及び前記枝１１が前記樹形デザインに対応する樹形に順応した後、前記樹形枠２０を除去する過程；を含み、ここで、前記枝１１を前記枝案内リング２１に挿入するときに前記枝１１と前記樹形枠２０との間に保護帯４０を当て、前記枝１１を屈曲させるときに前記枝１１にガイド帯５０を当てることを特徴とする観賞用樹木の樹形形成方法が公知となっている。
【００１０】
しかし、従来の各技術に係る剪定方法は、果実樹の生長を主な目的としており、観賞用樹木の樹形形成方法も、樹形枠及び枝案内リングの使用を通じた盆栽方式の観賞用樹木形成方法に過ぎなく、盆栽でない既存の造景樹の枝を剪定及び誘引することによってのみ観賞用樹木を形成する方法は全く知られていなかった。
【００１１】
したがって、本発明者は、造景樹の枝の剪定及び誘引により、雪に押されて作られた形態の観賞用樹木、雷に打たれて作られた形態の観賞用樹木、風で折れて作られた形態の観賞用樹木、風の方向に沿って作られた形態の観賞用樹木、崖上で作られた形態の観賞用樹木、岩盤上で作られた形態の観賞用樹木、土砂崩れの場所で作られた形態の観賞用樹木、競争による空間脱出で作られた形態の観賞用樹木、暴雪によって作られた形態の観賞用樹木、樹勢を悪化させる形態の観賞用樹木、樹液の流れを停止させる形態の観賞用樹木、栄養を茎に蓄積させる形態の観賞用樹木の形成方法を開発し、本発明を完成するに至った。
【先行技術文献】
【特許文献】
【００１２】
【特許文献１】韓国特許登録１０―０７３８３２４
【特許文献２】韓国特許登録１０―０４１５３１１
【発明の概要】
【発明が解決しようとする課題】
【００１３】
前記開発のために、本発明は、苗木または成木の枝の剪定及び誘引により、雪に押された枝形態の観賞用樹木、雷に打たれた枝形態の観賞用樹木、風で折れた枝形態の観賞用樹木、風の方向に沿って作られた枝形態の観賞用樹木、崖上から育った枝形態の観賞用樹木、岩盤上から育った枝形態の観賞用樹木、土砂崩れの場所から育った枝形態の観賞用樹木、競争による空間脱出から育った枝形態の観賞用樹木、暴雪で作られた枝形態の観賞用樹木、樹勢を弱化させる枝形態の観賞用樹木、樹液の流れを停止させる枝形態の観賞用樹木、栄養を茎に蓄積させる枝形態の観賞用樹木の形成方法を提供することを技術的課題とする。
【課題を解決するための手段】
【００１４】
前記課題を解決するために、本発明は、苗木または成木の水平、垂直または傾斜枝から育った様々な枝を原型そのままにまたはいずれか一方向に誘引した後、いずれか一方向の枝のみを残しておくか、または食い違う方向の枝を交互に残しておき、残りの枝は剪定する１次枝剪定段階；前記１次枝剪定段階で残された一方向の枝を上下前後左右のいずれか一方向に誘引する１次枝誘引段階；前記１次枝誘引段階で誘引された一方向の枝から育った様々な枝のうちいずれか一方向の枝のみを残しておき、残りの枝は剪定する２次枝剪定段階；前記２次枝剪定段階で残された一方向の枝を上下前後左右のいずれか一方向に誘引する２次枝誘引段階；及び前記２次枝誘引段階後、前記２次枝剪定段階及び２次枝誘引段階を１回以上順次繰り返すことによって、雪に押された枝形態の観賞用樹木、雷に打たれた枝形態の観賞用樹木、風で折れた枝形態の観賞用樹木、風の方向に沿って作られた枝形態の観賞用樹木、崖上から育った枝形態の観賞用樹木、岩盤上から育った枝形態の観賞用樹木、土砂崩れの場所から育った枝形態の観賞用樹木、競争による空間脱出から育った枝形態の観賞用樹木、暴雪で作られた枝形態の観賞用樹木、樹勢を弱化させる‘倒立Ｌ’字状、‘Ｌ’字状の枝形態の観賞用樹木、樹液の流れを停止させる‘コ’字状の枝形態の観賞用樹木、または、栄養を茎に蓄積させる‘己’字状の枝形態の観賞用樹木の形成方法を技術的解決方法とする。
【００１５】
また、前記雪に押された枝形態の観賞用樹木は、苗木または成木の水平枝から育った様々な枝のうち原型そのままに下方向の枝のみを残しておき、残りの枝は剪定する１次枝剪定段階；前記１次枝剪定段階で残された下方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を下方向に誘引する３次枝誘引段階；前記３次枝誘引段階で誘引された下方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成されることを特徴とする木の枝の剪定及び誘引による観賞用樹木の形成方法を技術的解決方法とする。
【００１６】
また、雷に打たれた枝形態の観賞用樹木は、苗木または成木の垂直枝から育った様々な枝のうち原型そのままに左方向の枝のみを残しておき、残りの枝は剪定する１次枝剪定段階；前記１次枝剪定段階で残された左方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を下方向に誘引する３次枝誘引段階；前記３次枝誘引段階で誘引された下方向の枝から育った様々な枝のうち左方向の枝のみを残しておき、残りの枝は剪定する４次枝剪定段階；及び前記４次枝剪定段階で残された左方向の枝を上方向に誘引する４次枝誘引段階；を含む方法によって形成されることを特徴とする木の枝の剪定及び誘引による観賞用樹木の形成方法を技術的解決方法とする。
【００１７】
また、前記風で折れた枝形態の観賞用樹木は、苗木または成木の水平枝から育った様々な枝のうち原型そのままに上方向の枝のみを残しておき、残りの枝は剪定する１次枝剪定段階；前記１次枝剪定段階で残された上方向の枝を上方向に誘引する１次枝誘引段階；前記１次枝誘引段階で誘引された上方向の枝から育った様々な枝のうち右方向の枝のみを残しておき、残りの枝は剪定する２次枝剪定段階；前記２次枝剪定段階で残された右方向の枝を右方向に誘引する２次枝誘引段階；前記２次枝誘引段階で誘引された右方向の枝から育った様々な枝のうち下方向の枝のみを残しておき、残りの枝は剪定する３次枝剪定段階；前記３次枝剪定段階で残された下方向の枝を下方向に誘引する３次枝誘引段階；前記３次枝誘引段階で誘引された下方向の枝から育った様々な枝のうち右方向の枝のみを残しておき、残りの枝は剪定する４次枝剪定段階；及び前記４次枝剪定段階で残された右方向の枝を右方向に誘引する４次枝誘引段階；を含む方法によって形成されることを特徴とする木の枝の剪定及び誘引による観賞用樹木の形成方法を技術的解決方法とする。
【００１８】
また、前記風の方向に沿って作られた枝形態の観賞用樹木は、苗木または成木の水平枝から育った様々な枝のうち原型そのままに上方向の枝のみを残しておき、残りの枝は剪定する１次枝剪定段階；前記１次枝剪定段階で残された上方向の枝を左上傾斜方向に誘引する１次枝誘引段階；前記１次枝誘引段階で誘引された左上傾斜方向の枝から育った様々な枝のうち右方向の枝のみを残しておき、残りの枝は剪定する２次枝剪定段階；前記２次枝剪定段階で残された右方向の枝を右上傾斜方向に誘引する２次枝誘引段階；前記２次枝誘引段階で誘引された右上傾斜方向の枝から育った様々な枝のうち下方向の枝のみを残しておき、残りの枝は剪定する３次枝剪定段階；前記３次枝剪定段階で残された下方向の枝を右方向に誘引する３次枝誘引段階；前記３次枝誘引段階で誘引された右方向の枝から育った様々な枝のうち上方向の枝のみを残しておき、残りの枝は剪定する４次枝剪定段階；前記４次枝剪定段階で残された上方向の枝を右上傾斜方向に誘引する４次枝誘引段階；前記４次枝誘引段階で誘引された右上傾斜方向の枝から育った様々な枝のうち下方向の枝のみを残しておき、残りの枝は剪定する５次枝剪定段階；前記５次枝剪定段階で残された下方向の枝を右方向に誘引する５次枝誘引段階；前記５次枝誘引段階で誘引された右方向の枝から育った様々な枝のうち下方向の枝のみを残しておき、残りの枝は剪定する６次枝剪定段階；前記６次枝剪定段階で残された下方向の枝を右下傾斜方向に誘引する６次枝誘引段階；前記６次枝誘引段階で誘引された右下傾斜方向の枝から育った様々な枝のうち上方向の枝のみを残しておき、残りの枝は剪定する７次枝剪定段階；及び前記７次枝剪定段階で残された上方向の枝を右方向に誘引する７次枝誘引段階；を含む方法によって形成されることを特徴とする木の枝の剪定及び誘引による観賞用樹木の形成方法を技術的解決方法とする。
【００１９】
また、前記崖上から育った枝形態の観賞用樹木は、苗木または成木の水平枝から育った様々な枝のうち原型そのままに下方向の枝のみを残しておき、残りの枝は剪定する１次枝剪定段階；前記１次枝剪定段階で残された下方向の枝を左下傾斜方向に誘引する１次枝誘引段階；前記１次枝誘引段階で誘引された左下傾斜方向の枝から育った様々な枝のうち右方向の枝のみを残しておき、残りの枝は剪定する２次枝剪定段階；前記２次枝剪定段階で残された右方向の枝を下方向に誘引する２次枝誘引段階；前記２次枝誘引段階で誘引された下方向の枝から育った様々な枝のうち左方向の枝のみを残しておき、残りの枝は剪定する３次枝剪定段階；前記３次枝剪定段階で残された左方向の枝を左下傾斜方向に誘引する３次枝誘引段階；前記３次枝誘引段階で誘引された左下傾斜方向の枝から育った様々な枝のうち右方向の枝のみを残しておき、残りの枝は剪定する４次枝剪定段階；前記４次枝剪定段階で残された右方向の枝を下方向に誘引する４次枝誘引段階；前記４次枝誘引段階で誘引された下方向の枝から育った様々な枝のうち左方向の枝のみを残しておき、残りの枝は剪定する５次枝剪定段階；及び前記５次枝剪定段階で残された左方向の枝を左下傾斜方向に誘引する５次枝誘引段階；を含む方法によって形成されることを特徴とする木の枝の剪定及び誘引による観賞用樹木の形成方法を技術的解決方法とする。
【００２０】
また、前記岩盤上から育った枝形態の観賞用樹木は、苗木または成木の垂直枝から育った様々な枝のうち原型そのままに左方向の枝のみを残しておき、残りの枝は剪定する１次枝剪定段階；前記１次枝剪定段階で残された左方向の枝を左方向に誘引する１次枝誘引段階；前記１次枝誘引段階で誘引された左方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を左方向に誘引する３次枝誘引段階；前記３次枝誘引段階で誘引された左方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成されることを特徴とする木の枝の剪定及び誘引による観賞用樹木の形成方法を技術的解決方法とする。
【００２１】
また、前記土砂崩れの場所から育った枝形態の観賞用樹木は、苗木または成木の垂直枝から育った様々な枝を左下傾斜方向に誘引した後、上方向の枝のみを残しておき、残りの枝は剪定する１次枝剪定段階；前記１次枝剪定段階で残された上方向の枝を上方向に誘引する１次枝誘引段階；前記１次枝誘引段階で誘引された上方向の枝から育った様々な枝のうち左方向の枝のみを残しておき、残りの枝は剪定する２次枝剪定段階；前記２次枝剪定段階で残された左方向の枝を左下傾斜方向に誘引する２次枝誘引段階；前記２次枝誘引段階で誘引された左下傾斜方向の枝から育った様々な枝のうち上方向の枝のみを残しておき、残りの枝は剪定する３次枝剪定段階；及び前記３次枝剪定段階で残された上方向の枝を上方向に誘引する３次枝誘引段階；を含む方法によって形成されることを特徴とする木の枝の剪定及び誘引による観賞用樹木の形成方法を技術的解決方法とする。
【００２２】
また、前記暴雪で作られた枝形態の観賞用樹木は、苗木または成木の垂直枝から育った様々な枝を下方向に誘引した後、下方向の枝のみを残しておき、残りの枝は剪定する１次枝剪定段階；前記１次枝剪定段階で残された下方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち下方向の枝のみを残しておき、残りの枝は剪定する３次枝剪定段階；前記３次枝剪定段階で残された下方向の枝を下方向に誘引する３次枝誘引段階；前記３次枝誘引段階で誘引された下方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成されることを特徴とする木の枝の剪定及び誘引による観賞用樹木の形成方法を技術的解決方法とする。
【発明の効果】
【００２３】
本発明に係る木の枝の剪定及び誘引による観賞用樹木の形成方法は、秀麗な樹木の姿態を作り、交差枝の発生を防止し、暴雪の被害による枝折れを予防し、突風や台風による被害を予防し、円滑な通気で病気と虫の発生を予防し、自然の害虫駆除者である鳥等の移動と定着を容易にし、透光率を高めることによって枝に栄養を与え、弱枝の発生を防止し、樹木の移動を簡便にし、樹木の管理費が節減され、高価の樹木値が保障され、樹木の運送費が節減され、細根の発生による移植樹木の問題を減少させ得るという有利な効果を有する。
【図面の簡単な説明】
【００２４】
【図１】雪に押された枝形態の観賞用樹木の形成段階を示す図である。
【図２】雪に押された枝形態の観賞用樹木の形態を示す図である。
【図３】雪に押された枝形態の観賞用樹木の実物写真である。
【図４】雷に打たれた枝形態の観賞用樹木の形成段階を示す図である。
【図５】雷に打たれた枝形態の観賞用樹木の形態を示す図である。
【図６】雷に打たれた枝形態の観賞用樹木の実物写真である。
【図７】風で折れた枝形態の観賞用樹木の形成段階を示す図である。
【図８】風で折れた枝形態の観賞用樹木の形態を示す図である。
【図９】風で折れた枝形態の観賞用樹木の実物写真である。
【図１０】風の方向に沿って作られた枝形態の観賞用樹木の形成段階を示す図である。
【図１１】風の方向に沿って作られた枝形態の観賞用樹木の形態を示す図である。
【図１２】風の方向に沿って作られた枝形態の観賞用樹木の実物写真である。
【図１３】崖上から育った枝形態の観賞用樹木の形成段階を示す図である。
【図１４】崖上から育った枝形態の観賞用樹木の形態を示す図である。
【図１５】崖上から育った枝形態の観賞用樹木の実物写真である。
【図１６】岩盤上から育った枝形態の観賞用樹木の形成段階を示す図である。
【図１７】岩盤上から育った枝形態の観賞用樹木の形態を示す図である。
【図１８】岩盤上から育った枝形態の観賞用樹木の実物写真である。
【図１９】土砂崩れの場所から育った枝形態の観賞用樹木の形成段階を示す図である。
【図２０】土砂崩れの場所から育った枝形態の観賞用樹木の形態を示す図である。
【図２１】土砂崩れの場所から育った枝形態の観賞用樹木の実物写真である。
【図２２】競争による空間脱出から育った枝形態の観賞用樹木の形成段階を示す図である。
【図２３】競争による空間脱出から育った枝形態の観賞用樹木の形態を示す図である。
【図２４】競争による空間脱出から育った枝形態の観賞用樹木の実物写真である。
【図２５】暴雪で作られた枝形態の観賞用樹木の形成段階を示す図である。
【図２６】暴雪で作られた枝形態の観賞用樹木の形態を示す図である。
【図２７】暴雪で作られた枝形態の観賞用樹木の実物写真である。
【図２８】樹勢を弱化させる‘倒立Ｌ’字状、‘Ｌ’字状の枝形態の観賞用樹木の形成段階を示す図である。
【図２９】樹勢を弱化させる‘倒立Ｌ’字状、‘Ｌ’字状の枝形態の観賞用樹木の形態を示す図である。
【図３０】樹勢を弱化させる‘倒立Ｌ’字状、‘Ｌ’字状の枝形態の観賞用樹木の実物写真である。
【図３１】樹液の流れを停止させる‘コ’字状の枝形態の観賞用樹木の形成段階を示す図である。
【図３２】樹液の流れを停止させる‘コ’字状の枝形態の観賞用樹木の形態を示す図である。
【図３３】樹液の流れを停止させる‘コ’字状の枝形態の観賞用樹木の実物写真である。
【図３４】栄養を茎に蓄積させる‘己’字状の枝形態の観賞用樹木の形成段階を示す図である。
【図３５】栄養を茎に蓄積させる‘己’字状の枝形態の観賞用樹木の形態を示す図である。
【図３６】栄養を茎に蓄積させる‘己’字状の枝形態の観賞用樹木の実物写真である。
【発明を実施するための形態】
【００２５】
以下、図面を参照して本発明をより詳細に説明する。これら図面は、本発明をより具体的に説明するためのものであって、本発明の範囲がこれら図面によって限定されないことは、当業界で通常の知識を有する者にとって自明であろう。
【００２６】
まず、本発明は、苗木または成木の水平、垂直または傾斜枝から育った様々な枝を原型そのままにまたはいずれか一方向に誘引した後、いずれか一方向の枝のみを残しておくか、または食い違った方向の枝を交互に残しておき、残りの枝は剪定する１次枝剪定段階；前記１次枝剪定段階で残された一方向の枝を上下前後左右のいずれか一方向に誘引する１次枝誘引段階；前記１次枝誘引段階で誘引された一方向の枝から育った様々な枝のうちいずれか一方向の枝のみを残しておき、残りの枝は剪定する２次枝剪定段階；前記２次枝剪定段階で残された一方向の枝を上下前後左右のいずれか一方向に誘引する２次枝誘引段階；及び前記２次枝誘引段階後、前記２次枝剪定段階及び２次枝誘引段階を１回以上順次繰り返すことによって、雪に押された枝形態の観賞用樹木、雷に打たれた枝形態の観賞用樹木、風で折れた枝形態の観賞用樹木、風の方向に沿って作られた枝形態の観賞用樹木、崖上から育った枝形態の観賞用樹木、岩盤上から育った枝形態の観賞用樹木、土砂崩れの場所から育った枝形態の観賞用樹木、競争による空間脱出から育った枝形態の観賞用樹木、暴雪で作られた枝形態の観賞用樹木、樹勢を弱化させる‘倒立Ｌ’字状、‘Ｌ’字状の枝形態の観賞用樹木、樹液の流れを停止させる‘コ’字状の枝形態の観賞用樹木、または、栄養を茎に蓄積させる‘己’字状の枝形態の観賞用樹木の形成方法を技術構成の特徴とする。
【００２７】
より具体的に、図１〜図３を参照すると、雪に押された枝形態の観賞用樹木は、苗木または成木の水平枝から育った様々な枝のうち原型そのままに下方向の枝のみを残しておき、残りの枝は剪定する１次枝剪定段階；前記１次枝剪定段階で残された下方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を下方向に誘引する３次枝誘引段階；前記３次枝誘引段階で誘引された下方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成される。
【００２８】
前記雪に押された枝形態の観賞用樹木は、降った雪の重さに押され、傾いて固まった形態から自然の摂理に戻り、再び降った雪の重さによって生じた美しい木の枝の表現であって、この場合、枝の角度を狭めるときは枝にリングを掛けるが、このときに結束線または銅電線を用いてもよく、時によってゴムバンドを使用してもよく、太く育った木の枝の方向は器具を用いて誘導してもよい。枝の剪定は、１年に２回行い、栄養状態が良いときは５月下旬または６月初旬前に行い、２次剪定は、７月下旬前に行う。角度を鋭く表現するときは、切り枝の端を３ｃｍほど残しておき、曲線を維持するときは、枝の端を０．３ｃｍほどに切る。樹木の枝が１／２以上切り出された後は、必ずカイガラムシと線虫を予防しなければならなく、２／３以上が切り出された後は生長活力剤を使用しなければならない。前記の内容は、松の木以外の他の樹木には適用されない。
【００２９】
図４〜図６を参照すると、雷に打たれた枝形態の観賞用樹木は、苗木または成木の垂直枝から育った様々な枝のうち原型そのままに左方向の枝のみを残しておき、残りの枝は剪定する１次枝剪定段階；前記１次枝剪定段階で残された左方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を下方向に誘引する３次枝誘引段階；前記３次枝誘引段階で誘引された下方向の枝から育った様々な枝のうち左方向の枝のみを残しておき、残りの枝は剪定する４次枝剪定段階；及び前記４次枝剪定段階で残された左方向の枝を上方向に誘引する４次枝誘引段階；を含む方法によって形成される。
【００３０】
前記雷に打たれた枝形態の観賞用樹木は、雷に打たれて垂れた枝で自然の摂理と生命力によって蘇生しながら生じた木とその枝の美しい表現であって、枝の誘引時には、結束線及び電線を用いて枝の形態を固定させる。枝の角度により、樹木自体の栄養が蓄積された枝の太さが迅速に太くなる。そのため、枝が育った後の樹木の形態を考慮して、一節のみに拘る必要はなく、二節または三節に切ってもよい。枝の角度を鋭く表現するときは、切り枝の端を３ｃｍほど残しておき、曲線または柔らかい線を維持するときは、枝の端を０．５ｃｍに剪定する。剪定後には、殺虫剤と展着剤とを混用してカイガラムシと線虫を予防しなければならない。
【００３１】
また、図７〜図９を参照すると、風で折れた枝形態の観賞用樹木は、苗木または成木の水平枝から育った様々な枝のうち原型そのままに上方向の枝のみを残しておき、残りの枝は剪定する１次枝剪定段階；前記１次枝剪定段階で残された上方向の枝を上方向に誘引する１次枝誘引段階；前記１次枝誘引段階で誘引された上方向の枝から育った様々な枝のうち右方向の枝のみを残しておき、残りの枝は剪定する２次枝剪定段階；前記２次枝剪定段階で残された右方向の枝を右方向に誘引する２次枝誘引段階；前記２次枝誘引段階で誘引された右方向の枝から育った様々な枝のうち下方向の枝のみを残しておき、残りの枝は剪定する３次枝剪定段階；前記３次枝剪定段階で残された下方向の枝を下方向に誘引する３次枝誘引段階；前記３次枝誘引段階で誘引された下方向の枝から育った様々な枝のうち右方向の枝のみを残しておき、残りの枝は剪定する４次枝剪定段階；及び前記４次枝剪定段階で残された右方向の枝を右方向に誘引する４次枝誘引段階；を含む方法によって形成される。
【００３２】
前記風で折れた枝形態の観賞用樹木は、海辺や川辺の突風が吹きつける場所で雨に濡れた木の枝や雪が積もった木の枝が突風で折れていき、残っている枝が自然に順応しながら育つ美しい形態の表現であって、枝の誘引時には、結束線（除去しないとき）、電線（除去するとき）、円形ゴムバンド（除去しないとき）を使用する。枝の角部分に突起を形成するときは、肥料を使用して栄養を与え、これは２年次から行うことができる。
【００３３】
図１０〜図１２を参照すると、風の方向に沿って作られた枝形態の観賞用樹木は、苗木または成木の水平枝から育った様々な枝のうち原型そのままに上方向の枝のみを残しておき、残りの枝は剪定する１次枝剪定段階；前記１次枝剪定段階で残された上方向の枝を左上傾斜方向に誘引する１次枝誘引段階；前記１次枝誘引段階で誘引された左上傾斜方向の枝から育った様々な枝のうち右方向の枝のみを残しておき、残りの枝は剪定する２次枝剪定段階；前記２次枝剪定段階で残された右方向の枝を右上傾斜方向に誘引する２次枝誘引段階；前記２次枝誘引段階で誘引された右上傾斜方向の枝から育った様々な枝のうち下方向の枝のみを残しておき、残りの枝は剪定する３次枝剪定段階；前記３次枝剪定段階で残された下方向の枝を右方向に誘引する３次枝誘引段階；前記３次枝誘引段階で誘引された右方向の枝から育った様々な枝のうち上方向の枝のみを残しておき、残りの枝は剪定する４次枝剪定段階；前記４次枝剪定段階で残された上方向の枝を右上傾斜方向に誘引する４次枝誘引段階；前記４次枝誘引段階で誘引された右上傾斜方向の枝から育った様々な枝のうち下方向の枝のみを残しておき、残りの枝は剪定する５次枝剪定段階；前記５次枝剪定段階で残された下方向の枝を右方向に誘引する５次枝誘引段階；前記５次枝誘引段階で誘引された右方向の枝から育った様々な枝のうち下方向の枝のみを残しておき、残りの枝は剪定する６次枝剪定段階；前記６次枝剪定段階で残された下方向の枝を右下傾斜方向に誘引する６次枝誘引段階；前記６次枝誘引段階で誘引された右下傾斜方向の枝から育った様々な枝のうち上方向の枝のみを残しておき、残りの枝は剪定する７次枝剪定段階；及び前記７次枝剪定段階で残された上方向の枝を右方向に誘引する７次枝誘引段階；を含む方法によって形成される。
【００３４】
前記風の方向に沿って作られた枝形態の観賞用樹木は、ほぼ一日中吹く風に逆って育っていきながら、風に苦しめられて風の方向通りに育ち、再び挑戦して順応する自然順理と挑戦的な樹木の美しさとその枝の美しさの表現であって、このときの枝は、誘引する必要なく、剪定された方向通りに図面のように順次剪定する。１年次下半期の剪定時、屈曲部分の切り枝の端を２ｃｍに維持し、それ以外の屈曲部分の切り枝の端を３ｃｍに残しておくと角度が生じる。
【００３５】
図１３〜図１５を参照すると、崖上から育った枝形態の観賞用樹木は、苗木または成木の水平枝から育った様々な枝のうち原型そのままに下方向の枝のみを残しておき、残りの枝は剪定する１次枝剪定段階；前記１次枝剪定段階で残された下方向の枝を左下傾斜方向に誘引する１次枝誘引段階；前記１次枝誘引段階で誘引された左下傾斜方向の枝から育った様々な枝のうち右方向の枝のみを残しておき、残りの枝は剪定する２次枝剪定段階；前記２次枝剪定段階で残された右方向の枝を下方向に誘引する２次枝誘引段階；前記２次枝誘引段階で誘引された下方向の枝から育った様々な枝のうち左方向の枝のみを残しておき、残りの枝は剪定する３次枝剪定段階；前記３次枝剪定段階で残された左方向の枝を左下傾斜方向に誘引する３次枝誘引段階；前記３次枝誘引段階で誘引された左下傾斜方向の枝から育った様々な枝のうち右方向の枝のみを残しておき、残りの枝は剪定する４次枝剪定段階；前記４次枝剪定段階で残された右方向の枝を下方向に誘引する４次枝誘引段階；前記４次枝誘引段階で誘引された下方向の枝から育った様々な枝のうち左方向の枝のみを残しておき、残りの枝は剪定する５次枝剪定段階；及び前記５次枝剪定段階で残された左方向の枝を左下傾斜方向に誘引する５次枝誘引段階；を含む方法によって形成される。
【００３６】
前記崖上から育った枝形態の観賞用樹木は、崖上で空の空間に勢力を伸ばしながら自分だけの空間を拡張し、下側と上側から吹く雨風と雪に打たれ、独特の形態の美しさで育つ形態の木であって、剪定で継続して枝を垂らすときは、葉芽の形成時に枝を乾燥させなければならなく、栄養が蓄積されることを防止しなければならない。屈曲した場所の切り部分の枝の端は、このときに２ｃｍとし、枝の形態をよく維持させなければならない。
【００３７】
図１６〜図１８を参照すると、岩盤上から育った枝形態の観賞用樹木は、苗木または成木の垂直枝から育った様々な枝のうち原型そのままに左方向の枝のみを残しておき、残りの枝は剪定する１次枝剪定段階；前記１次枝剪定段階で残された左方向の枝を左方向に誘引する１次枝誘引段階；前記１次枝誘引段階で誘引された左方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち左方向の枝のみを残しておき、残りの枝は剪定する３次枝剪定段階；前記３次枝剪定段階で残された左方向の枝を左方向に誘引する３次枝誘引段階；前記３次枝誘引段階で誘引された左方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成される。
【００３８】
前記岩盤上から育った枝形態の観賞用樹木は、樹木の枝は垂直に上昇し、根は土中に伸びていきながら、障害物が生じると根の方向が折れ、木の枝は反対方向に折れるなど、長い歳月を経て美しく且つ奥妙な姿態に作られた木の表現であって、枝の剪定時、切り部分の枝の端は、３ｃｍにしたときにその角が美しい。枝の誘引時には、結束線または電線を用い、樹木の太さと結束線の太さが比例する。枝の誘引時には、光葉樹は水分が少なくなければならなく、針葉樹は水分が多くなければならない。誘引が終了した後、水分を与えて枝の角度を維持しなければならない。隆起を作るときは、堆肥または肥料を使用して栄養を供給し、栄養過多の現象が表れるようにし、これは２年次から行うことができる。
【００３９】
図１９〜図２１を参照すると、土砂崩れの場所から育った枝形態の観賞用樹木は、苗木または成木の垂直枝から育った様々な枝を左下傾斜方向に誘引した後、上方向の枝のみを残しておき、残りの枝は剪定する１次枝剪定段階；前記１次枝剪定段階で残された上方向の枝を上方向に誘引する１次枝誘引段階；前記１次枝誘引段階で誘引された上方向の枝から育った様々な枝のうち左方向の枝のみを残しておき、残りの枝は剪定する２次枝剪定段階；前記２次枝剪定段階で残された左方向の枝を左下傾斜方向に誘引する２次枝誘引段階；前記２次枝誘引段階で誘引された左下傾斜方向の枝から育った様々な枝のうち上方向の枝のみを残しておき、残りの枝は剪定する３次枝剪定段階；及び前記３次枝剪定段階で残された上方向の枝を上方向に誘引する３次枝誘引段階；を含む方法によって形成される。
【００４０】
前記土砂崩れの場所から育った枝形態の観賞用樹木は、暴雨で山崩れが起こって押し流され、根が辛うじて着根した状態で生命を維持し、驚異的な生命力で美しく且つ奥妙に育った美しさの表現であって、枝の誘引は、樹液の移動が旺盛な５月中に行われ、樹木の太さに応じて鉄線２番〜８番線が適用され、録画テープを巻いて枝の破裂を防止しなければならない。
【００４１】
図２５〜図２７を参照すると、暴雪で作られた枝形態の観賞用樹木は、苗木または成木の垂直枝から育った様々な枝を下方向に誘引した後、下方向の枝のみを残しておき、残りの枝は剪定する１次枝剪定段階；前記１次枝剪定段階で残された下方向の枝を下方向に誘引する１次枝誘引段階；前記１次枝誘引段階で誘引された下方向の枝から育った様々な枝のうち上方向の枝のみを残しておき、残りの枝は剪定する２次枝剪定段階；前記２次枝剪定段階で残された上方向の枝を上方向に誘引する２次枝誘引段階；前記２次枝誘引段階で誘引された上方向の枝から育った様々な枝のうち下方向の枝のみを残しておき、残りの枝は剪定する３次枝剪定段階；前記３次枝剪定段階で残された下方向の枝を下方向に誘引する３次枝誘引段階；前記３次枝誘引段階で誘引された下方向の枝から育った様々な枝のうち上方向の枝のみを残しておき、残りの枝は剪定する４次枝剪定段階；及び前記４次枝剪定段階で残された上方向の枝を上方向に誘引する４次枝誘引段階；を含む方法によって形成される。
【００４２】
前記暴雪で作られた枝形態の観賞用樹木は、多くの雪が降る真冬に、雪の重さによって垂れた木が冬の間に固まり、新たな枝が出て育ち、再び雪の重さに押され、再び新たな枝が育つ自然を克服する美しい木の枝の表現であって、枝を下側に誘引するときは、鉄線を枝の所望の部位に付着させる方法と、紐及び引っ張り道具を使用して枝を下降させる方法を使用する。誘引された樹木の枝は自然に上昇し、下側に傾斜するときのみに枝を誘引する。枝が上昇するときに栄養と水分を供給する。
【００４３】
図２２〜図２４を参照すると、競争による空間脱出から育った枝形態の観賞用樹木は、全ての樹木が光合性作用をするために限りなく空間を占めようと競争する過程で上側に育つことができず、横に垂れた木が空の空間に向かって伸びていきながら勢力を拡張する美しい木とその枝の表現であって、木の誘引は、抹木または鉄筋を使用して枝を固定させた後で行い、枝の角度を作る方法及び隆起を作る方法は、上述した方法と同一である。
【００４４】
図２８〜図３０を参照すると、樹勢を弱化させる‘倒立Ｌ’字状、‘Ｌ’字状の枝形態の観賞用樹木は、‘倒立Ｌ’字状、‘Ｌ’字状の樹勢の徒長を防止するために、また、成長速度を遅延させるために樹液の流れを１／２に減少させ、交差枝の発生を防止し、郡植状態での絶対的な方法で茎の成長を促進し、短期間に美しく且つ奥妙に育つようにする剪定方法であって、このときの枝の剪定が２年次を過ぎたとき、枝を内側方向に剪定することができ、上方向または下方向の枝を使用してもよい。
【００４５】
図３１〜図３３を参照すると、樹液の流れを停止させる‘コ’字状の枝形態の観賞用樹木は、‘コ’字状の樹液の流れを２／３ほど停止させ、これ以上育つことを防止し、樹勢の交差や配列上の崩れを防止し、栄養過多によって樹木にこぶを作ることができる美しさの表現であって、このときの枝の剪定は、可能な限り水平を維持することが良く、下側に垂れた枝または上側に上昇した枝などは、各鉄線を用いてねじって水平に作ることができ、枝の傷を減少させるために、太い枝には圧迫帯を使用してもよく、細い枝にはパラフィン紙を使用してもよい。
【００４６】
図３４〜図３６を参照すると、栄養を茎に蓄積させる‘己’字状の枝形態の観賞用樹木は、‘己’字状の樹液の流れを４／５ほど停止させ、茎に栄養が蓄積されてこぶまたは隆起が生じ、このときに枝をＳ字状にするか、それとも‘己’字状にするかが決定され、樹液が流れても、末葉での成長をほぼ停止させる剪定方法で短期間に樹木の地際を大きく育てられる方法であって、このとき、樹木の商品化のためにその枝を短期間に育てるときは肥料を投与し、１年２回の剪定が可能である。枝をＳ字状などの曲線に育てるときは、剪定された枝の端を残さずに切って、水分を多く供給する。枝を‘己’字状に維持するときは、剪定枝の端部を枝の太さまたは長さなどを勘案して２ｃｍ〜３ｃｍほど残しておき、水分と栄養の供給を減少させる。
【００４７】
以上、本発明の内容における特定の部分を詳細に記述したが、当業界で通常の知識を有する者にとって、このような具体的な記述は好ましい様態に過ぎなく、これによって本発明の範囲が制限されないことは明白であろう。したがって、本発明の実質的な範囲は、添付の各請求項とそれらの等価物によって定義されるものと言える。
【産業上の利用可能性】
【００４８】
本発明に係る木の枝の剪定及び誘引による観賞用樹木の形成方法は、秀麗な樹木の姿態を作り、交差枝の発生を防止し、暴雪の被害による枝折れを予防し、突風や台風による被害を予防し、円滑な通気で病気と虫の発生を予防し、自然の害虫駆除者である鳥達の移動と定着を容易にし、透光率を高めることによって枝に栄養を与え、弱枝の発生を防止し、樹木の移動を簡便にし、樹木の管理費が節減され、高価の樹木値が保障され、樹木の運送費が節減され、細根の発生による移植樹木の問題を減少させ得るという有利な効果を有するので、造景産業において産業上の利用可能性がある。
【図１】
2015516807.tif 000003
【図２】
2015516807.tif 000004
【図３】
2015516807.tif 000005
【図４】
2015516807.tif 000006
【図５】
2015516807.tif 000007
【図６】
2015516807.tif 000008
【図７】
2015516807.tif 000009
【図８】
2015516807.tif 000010
【図９】
2015516807.tif 000011
【図１０】
2015516807.tif 000012
【図１１】
2015516807.tif 000013
【図１２】
2015516807.tif 000014
【図１３】
2015516807.tif 000015
【図１４】
2015516807.tif 000016
【図１５】
2015516807.tif 000017
【図１６】
2015516807.tif 000018
【図１７】
2015516807.tif 000019
【図１８】
2015516807.tif 000020
【図１９】
2015516807.tif 000021
【図２０】
2015516807.tif 000022
【図２１】
2015516807.tif 000023
【図２２】
2015516807.tif 000024
【図２３】
2015516807.tif 000025
【図２４】
2015516807.tif 000026
【図２５】
2015516807.tif 000027
【図２６】
2015516807.tif 000028
【図２７】
2015516807.tif 000029
【図２８】
2015516807.tif 000030
【図２９】
2015516807.tif 000031
【図３０】
2015516807.tif 000032
【図３１】
2015516807.tif 000033
【図３２】
2015516807.tif 000034
【図３３】
2015516807.tif 000035
【図３４】
2015516807.tif 000036
【図３５】
2015516807.tif 000037
【図３６】
2015516807.tif 000038
【国際調査報告】
2015516807.tif 000039
2015516807.tif 000040
2015516807.tif 000041
2015516807.tif 000042